(57)【要約】【課題】大画面ハンディ端末を「店員が使用するオーダー端末」と「顧客が使用するセルフオーダー端末」に使い分けて使用可能な店員用及び顧客用兼用注文端末を提供する。【解決手段】表示画面と入力キーとを有する表示入力部と、この表示入力部の蓋として機能すると共に、メニューキーを有する蓋部と、この蓋部を表示入力部に重ねて折りたたむための折りたたみ機構と、制御用プログラムを切り替えるための切替スイッチとを備え、ネットワーク接続可能なプログラム制御の端末であって、表示入力部の表示画面を外側に、蓋部のメニューキーを内側にして折りたたむため、表示入力部又は蓋部の一方を表裏逆にするための回転機構を、表示入力部と蓋部との間に設け、切替スイッチが操作されると、店員用注文端末として使用する場合と、顧客用注文端末として使用する場合とで、制御用プログラムを切り替える。【選択図】図１
2007299130.tif 000002
【特許請求の範囲】
【請求項１】
表示画面と入力キーとを有する表示入力部と、
この表示入力部の蓋として機能すると共に、メニューキーを有する蓋部と、
この蓋部を前記表示入力部に重ねて折りたたむための折りたたみ機構とを備え、ネットワーク接続可能なプログラム制御の端末であって、
前記表示入力部の表示画面を外側に、前記蓋部のメニューキーを内側にして折りたたむため、前記表示入力部又は蓋部の一方を表裏逆にするための回転機構を、前記表示入力部と蓋部との間に設けたことを特徴とする店員用及び顧客用兼用注文端末。
【請求項２】
制御用プログラムを切り替えるための切替スイッチを備え、
この切替スイッチが操作されると、店員用注文端末として使用する場合と、顧客用注文端末として使用する場合とで、制御用プログラムを切り替えることを特徴とする請求項１に記載の店員用及び顧客用兼用注文端末。
【請求項３】
電池残量検出センサーを備え、
電池残量が閾値まで少なくなった場合、その端末の識別番号と電池残量をネットワークを介して送信することを特徴とする請求項１に記載の店員用及び顧客用兼用注文端末。
【請求項４】
店員呼び出し用ボタンを備え、
この店員呼び出し用ボタンが操作されると、その端末の識別番号と店員呼び出し信号をネットワークを介して送信することを特徴とする請求項１に記載の店員用及び顧客用兼用注文端末。
【請求項５】
前記店員呼び出し用ボタンが操作されると、前記表示画面に店員呼び出し理由を表示し、
その端末の識別番号と共に、選択された呼び出し理由をネットワークを介して送信することを特徴とする請求項４に記載の店員用及び顧客用兼用注文端末。
【請求項６】
請求項１に記載の店員用及び顧客用兼用注文端末と、この端末にネットワークを介して接続された制御装置とを備え、
前記制御装置から前記店員用及び顧客用兼用注文端末に自動メニュー変更のためのデータを送信し、
前記店員用及び顧客用兼用注文端末は、このデータを受信してメニューを自動変更することを特徴とする注文管理システム。
【発明の詳細な説明】
【技術分野】
【０００１】
本発明は、居酒屋や飲食店で使用する注文入力用のハンディ端末に関する。
【背景技術】
【０００２】
従来、居酒屋や飲食店で、オーダーを注文する際になかなか店員を捕まえることができず、困ることがある。
【０００３】
また、客用注文端末と店員用注文端末とを使い分けることで、店員が行う入店処理と、客が自らオーダーを行うセルフオーダーとを実現させることができる注文管理システムがある（例えば、特許文献１参照）。
【特許文献１】特開２００４−１３２５４号公報
【発明の開示】
【発明が解決しようとする課題】
【０００４】
しかしながら、客用注文端末と店員用注文端末の両方を用意すると、設置すべき端末数が多くなり、設備投資に必要な金額が大きくなってしまう。
【０００５】
また、同じ端末を客注文用と店員注文用とで兼用させると、操作性や端末の管理に問題が生じる。
【０００６】
そこで本発明は、居酒屋や飲食店で使用するＯＥＳ(Order Entry System)において、大画面ハンディ端末を「店員が使用するオーダー端末」と「顧客が使用するセルフオーダー端末」に使い分けて使用可能な店員用及び顧客用兼用注文端末とそれを用いた注文管理システムを提供することを目的とする。
【課題を解決するための手段】
【０００７】
上述の課題を解決するため、本発明は、表示画面と入力キーとを有する表示入力部と、この表示入力部の蓋として機能すると共に、メニューキーを有する蓋部と、この蓋部を前記表示入力部に重ねて折りたたむための折りたたみ機構と、制御用プログラムを切り替えるための切替スイッチとを備え、ネットワーク接続可能なプログラム制御の端末であって、前記表示入力部の表示画面を外側に、前記蓋部のメニューキーを内側にして折りたたむため、前記表示入力部又は蓋部の一方を表裏逆にするための回転機構を、前記表示入力部と蓋部との間に設け、前記切替スイッチが操作されると、店員用注文端末として使用する場合と、顧客用注文端末として使用する場合とで、制御用プログラムを切り替えることを特徴とする。
【発明の効果】
【０００８】
本発明による第１の効果は、運用中にハンディ端末を「店員用／顧客用」で切り替えられることである。顧客にハンディ端末を渡す際に、「顧客向けインターフェイス」に変更してから渡し、顧客が帰った後で、店員がセルフオーダー端末を構造的かつソフトウェア的に「店員向けインターフェイス」に戻すことで、店員向けに変更できる。
【０００９】
第２の効果は、大画面ハンディ端末を使用することで、顧客でもセルフオーダー入力を行いやすいインターフェイスを提供できることである。
【００１０】
第３の効果は、「店員が使用するオーダー端末」と「顧客が使用するセルフオーダー端末」に、同一の端末を使用することで未使用のハンディ端末がなくなることである。
【００１１】
第４の効果は、状況に応じて、ハンディ端末を「店員が使用するオーダー端末」と「顧客が使用するセルフオーダー端末」で切り替えることができるため、端末の故障時や顧客の来店状況に応じて、端末数の調整が行え、業務効率が向上することである。
【発明を実施するための最良の形態】
【００１２】
次に、本発明の最良の形態について図面を参照して説明する。
【００１３】
図１は、本発明の店員用及び顧客用兼用注文端末を利用した注文管理システムの構成例を示す。ハンディ端末（ＨＴ）１１，１２は、無線ＬＡＮアクセス機能を有するプログラム制御の端末であって、ＷＡＰ(Wireless Access Point)２１，２２と無線ＬＡＮを介してデータ送受信をする。クレードル３１は、ハンディ端末１１，１２をセットして充電を行うと共に、ハンディ端末１１，１２と赤外線通信によってデータ送受信を行う。キッチンプリンタ（ＫＰ）４１，４２は、調理場や店員の控え場所に設置され、注文データのプリントアウト等を行う。ＰＯＳ端末（制御装置）５１は、会計処理を行うと共に、ハンディ端末１１，１２の装置データを管理する。これらの機器は、Ethernet HUB６１を介して、ネットワーク接続される。
【００１４】
本発明では、ハンディ端末の表示画面を大画面化して、「店員が使用するオーダー端末１１」と「顧客が使用するセルフオーダー端末１２」を、同一の端末で構造切り替えとソフトウェア（プログラム）切り替えを行うことによって使い分ける。
【００１５】
１．端末構造切り替え
端末構造切り替えは、店員が行う。図２は、ハンディ端末を店員が使用する時の構成（変形前）を示し、図３は、ハンディ端末をセルフ端末として顧客が使用する時の構成（変形後）を示す。
【００１６】
セルフオーダー端末時は、液晶（ＬＣＤ）画面と入力キーの部分（左側）を縦方向に回転させて、メニューキー部分（右側）を内側にして折りたたむ。これにより、右側のメニューキーはすべて使用しない構成となる。顧客には液晶画面とその下のボタン部のみが見える状態になる。すなわち、ハンディ端末のフタを開いた状態（図２）で液晶画面とボタン部分（左側）を縦方向に回転軸で１８０度回転して、フタを閉じることで、メニューキーが内側になる。
【００１７】
店員向け端末の場合は元に戻して、右側のメニューキーも使用する。
【００１８】
２．ソフトウェア切り替え
ハンディ端末のソフトウェア切り替えは、店員だけが実施できるようにするため、「特殊キー」を操作して行う。複数の数値ボタン（ハードウェアボタン）の同時押しではセキュリティーが低い可能性があり、顧客による故意・過失も考えられるため、「数値ボタン（ハードウェアボタン）とタッチパネルのカギボタン（ソフトウェアボタン）」の同時押し、さらに、タッチパネルのカギボタンを表示するには、例えば、日付けに関連するパスワードにすることで、常にパスワードを変更する。
【００１９】
以上の操作で、「セルフ用、店員用選択」で下記の（１）と（２）を切り替える。
（１）店員が使用するハンディ端末
（２）客が使用するセルフオーダー端末
【００２０】
「メニュー選択」では、例えば下記のようなメニューを切り替える。
（１）通常メニュー、食べ放題メニュー
（２）通常ドリンクメニュー、飲み放題メニュー
（３）朝食メニュー、ランチメニュー、ディナーメニュー
【００２１】
図４は、ソフトウェア切り替えシーケンスを示す。店員向けと顧客向けのハンディ端末のソフトウェア切り替えは、ハンディ端末側の「特殊キー操作」で実施し、「端末切り替えコマンド（店員→セルフ）」をＰＯＳ端末に送信する（Ｓ１）。
【００２２】
ＰＯＳ端末では、どのハンディ端末がセルフオーダー端末で、どのハンディ端末が店員向け端末なのかを一元管理する。その際、ＰＯＳ端末はメニュー更新の有無をハンディ端末に返信する（Ｓ２）。メニュー更新がない場合は、ハンディ端末では直ちにハンディ端末切り替え処理を実施する。
【００２３】
メニュー更新がある場合は、ＰＯＳ端末から更新用のメニューファイルをハンディ端末に送信する（Ｓ３）。ハンディ端末は、メニューファイル受信完了をＰＯＳ端末に返信する（Ｓ４）。
【００２４】
端末のソフトウェアの切り替えは、「特殊キー操作」によるものに替えて、以下のようにすることも可能である。
【００２５】
１）液晶画面を収容している側の背面部に、ハンディ端末の構造を顧客のためのセルフオーダー端末用に切り換える際に、フタのキーを押下するための突起を、押下するキーに合わせて１つ、もしくは２つ以上設ける。
【００２６】
２）予め設定してある１つ、もしくは２つ以上のキーが押下されると、端末切り替えコマンドを送信し、店員向けの端末用から、顧客向けのセルフオーダー端末用にソフトウェアを切り替える。キーが１つの場合は、店員向けの端末として使用している場合の操作と区別するために、通常キーが押下されたと認識する時間よりも十分に長い時間、たとえば３秒押下が続いたときに端末切り替えコマンドを送信するようにする。
【００２７】
３）ハンディ端末の構造を、店員向けの端末用に戻したときは、予め設定してある１つ、もしくは２つ以上のキーの押下が解除されるので、店員向けの端末用にソフトウェアを切り替える。
【００２８】
また、上記１）〜３）に替えて、フタのキーを設けている側に、指では操作できない大きさの穴部の下に切り換え専用のスイッチを設け、液晶画面を収容している側の背面部の対応する位置にそのスイッチを押下する突起を設けてもよい。
【００２９】
店員向けに設定された状態では、卓番、人数、グループカテゴリー等を入力後に、顧客のオーダーメニューを店員が入力することができる。
【００３０】
顧客向けに設定された状態では、「卓番、人数、グループカテゴリー等」を顧客が入力することなく、固定化された状態にしておくことで、顧客はメニューを選択して送信するだけですむ。メニュー情報も時刻によって切り替える。顧客メニューはグループ化して階層構造とする。
【００３１】
店員がテーブルまで顧客を案内するのは欠かせないので、その際に卓番、人数、セルフオーダー端末化情報等を入力し、送信することで、その端末は店員向けハンディ端末からセルフオーダーハンディ端末に変わる。
【００３２】
また、顧客や店舗によっては、顧客をテーブルに案内した、その際にオーダーを注文される場合がある。その時は、店員がオーダー入力を行い、その後、端末をセルフ化してから顧客に渡す。
【００３３】
最初のオーダーまでに時間が掛かる場合は、セルフオーダー端末化した端末を渡す。時間が掛からない場合は、店員がオーダーを送信後に、端末をセルフ化して渡す。
【００３４】
顧客にセルフオーダー端末を渡すと、顧客に紛失される場合が想定されるため、顧客に渡したという情報を添付して、ＰＯＳ端末で、どの卓にセルフオーダー端末が配置されているのかを管理し、清算時にハンディ端末の有無の確認を実施する。
【００３５】
また、使用していないハンディ端末をセルフオーダー端末として使用するため、店員の人数分は店員向けハンディ端末として確保しておく。
【００３６】
さらに、セルフオーダー端末の応用として、下記の３つが考えられる。
【００３７】
１．メニュー変更時刻が来た場合の自動メニュー変更ができることである。メニューの変更時刻が近づいた場合には、その旨をＰＯＳ端末がセルフオーダー端末に自動的に知らせる。セルフオーダー端末の内臓時刻で判断すると時刻がずれる場合があるため、ＰＯＳ端末からメニュー変更コマンドを送信し、ハンディ端末が受信することでメニュー変更処理を実施する。
【００３８】
２．セルフオーダー端末の電池残量が少なくなった場合、その通知ができることである。顧客にハンディ端末を渡して、セルフオーダー端末の状態で、電池が無くなる可能性がある。そこで、ハンディ端末に電池残量検出センサーを付け、電池残量が閾値まで少なくなった場合は、セルフオーダー端末がバックグランドで「卓番、電池残量」等を送信し、店員の居る場所に設置されたキッチンプリンタからプリントアウトすることで、店員は気が付くので、電池が無くなりオーダー送信ができない状態になる前に電池交換を行うことができる。
【００３９】
３．セルフオーダー端末に店員呼び出し専用ボタンを搭載して、店員呼び出し信号を送信できることである。さらに顧客に呼び出し理由を入力してもらうことで、店員側で素早く対応を行える。呼び出し理由の例は以下の通りである。
【００４０】
下記の選択枝は液晶画面に表示する。
（１）追加オーダーをお願いします。
（２）清算をお願いします。
（３）清掃をお願いします。
（４）たばこをお願いします。
（５）マッチをお願いします。
（６）オーダー済みメニューが来ていません。
（７）その他
【００４１】
この機能は、店員の居る場所に設置されたキッチンプリンタからプリントアウトする。出力された用紙には「時刻、端末番号、卓番、呼び出し理由、バーコード」を付けておき、キッチンプリンタに接続されたバーコードリーダーでリードすることで、応答を顧客のセルフオーダー端末に戻し、顧客は店員が直ぐに来ることが分る。
【図面の簡単な説明】
【００４２】
【図１】本発明による注文管理システムの構成図である。
【図２】ハンディ端末を店員が使用する時の構成図（変形前）である。
【図３】ハンディ端末をセルフ端末として顧客が使用する時の構成図（変形後）である。
【図４】ハンディ端末切り替えのシーケンス図である。
【符号の説明】
【００４３】
１１，１２  ハンディ端末（ＨＴ）
２１，２２  ＷＡＰ(Wireless Access Point)
３１  クレードル
４１，４２  キッチンプリンタ（ＫＰ）
５１  ＰＯＳ端末（制御装置）
６１  Ethernet HUB
【図１】
2007299130.tif 000003
【図２】
2007299130.tif 000004
【図３】
2007299130.tif 000005
【図４】
2007299130.tif 000006